(57)【要約】【課    題】２つのコンクリート層間に断熱材層を形成した断熱コンクリート壁構造において、断熱性能の低下を抑制しながらしかも両コンクリート層同士を強固に連結できるようにする。【解決手段】第１コンクリート層（２）と第２コンクリート層（３）との間に断熱材層（４）を形成する。連続繊維（１０）に合成樹脂を含浸させてロッド状のファスナー（９）を形成する。ロッド状のファスナー（９）の外面には多数の凹凸（１１）を形成する。上記の断熱材層（４）に貫通孔（８）を形成し、この貫通孔（８）に上記のファスナー（９）を挿通する。ファスナー（９）の両端はそれぞれコンクリート層（２・３）内に位置させ、外面に形成された凹凸（１１）をこのコンクリート層（２・３）内に埋め込む。【選択図】    図１
2004324234.tif 000002
【特許請求の範囲】
【請求項１】
第１コンクリート層（２）と第２コンクリート層（３）との間に断熱材層（４）を形成し、上記の第１コンクリート層（２）内と第２コンクリート層（３）内とに亘って、上記の断熱材層（４）を貫通するファスナー（９）を配設し、このファスナー（９）を介して上記の両コンクリート層（２・３）を互いに連結した断熱コンクリート壁構造であって、
上記のファスナー（９）を、連続繊維（１０）に合成樹脂を含浸させてロッド状に形成し、このロッド状ファスナー（９）の外面に多数の凹凸（１１）を形成したことを特徴とする、断熱コンクリート壁構造。
【請求項２】
上記の連続繊維（１０）を有機繊維で構成して、この有機連続繊維（１０）を編組または螺旋状に捲回することにより上記の凹凸（１１）を形成した、請求項１に記載の断熱コンクリート壁構造。
【請求項３】
上記の有機繊維が、全芳香族ポリアミド繊維、全芳香族ポリエステル繊維、ヘテロ環芳香族繊維、及びビニロンからなる群から選ばれた、少なくとも一種の繊維であることを特徴とする、請求項２に記載の断熱コンクリート壁構造。
【請求項４】
上記のファスナー（９）の表面に粒状物を固定することにより上記の凹凸（１１）を形成した、請求項１から３のいずれか１項に記載の断熱コンクリート壁構造。
【請求項５】
上記の合成樹脂が、エポキシ樹脂、不飽和ポリエステル樹脂、ビニルエステル樹脂、フェノール樹脂、ポリエステルアミド樹脂、ポリイミド樹脂からなる群から選ばれた少なくとも一種である、請求項１から４のいずれか１項に記載の断熱コンクリート壁構造。
【請求項６】
少なくとも一方のコンクリート層（２・３）内で、上記のファスナー（９）に、このファスナー（９）の軸心（１４）と交差する方向へ延びる固定部（１５）を形成した、請求項１から５のいずれか１項に記載の断熱コンクリート壁構造。
【請求項７】
上記の断熱材層（４）がシラスバルーンを主材とする断熱材（７）を含む、請求項１から６のいずれか１項に記載の断熱コンクリート壁構造。
【請求項８】
あらかじめ複数の貫通孔（８）を形成した板状の断熱材（７）を一対の壁型枠（１２・１２）間に配置し、連続繊維（１０）に合成樹脂を含浸させてロッド状に形成したファスナー（９）を上記の貫通孔（８）に挿通して、このファスナー（９）の両端をそれぞれ上記の断熱材（７）の表面から突出させ、上記のファスナー（９）には外面に多数の凹凸（１１）を形成しておき、上記の１対の壁型枠（１２・１２）間に生コンクリートを打設して上記のファスナー（９）の両端をそれぞれこの生コンクリートで包み込み、この生コンクリートが固化した後に上記の壁型枠（１２）を除去することを特徴とする、断熱コンクリート壁構造の施工方法。
【発明の詳細な説明】
【０００１】
【発明の属する技術分野】
本発明は断熱コンクリート壁構造に関し、さらに詳しくは、２つのコンクリート層間に断熱材層を形成した断熱コンクリート壁構造において、断熱性能の低下を抑制しながらしかも両コンクリート層同士を強固に連結できる、断熱コンクリート壁構造とその施工方法に関する。
【０００２】
【従来の技術】
従来、第１コンクリート層と第２コンクリート層との間に断熱材層を形成し、上記の第１コンクリート層内と第２コンクリート層内とに亘って、上記の断熱材層を貫通するファスナーを配設し、このファスナーを介して上記の両コンクリート層を互いに連結した断熱コンクリート壁構造としては、例えば、端部にフックを備えるとともに中間部に偏平状のプレートを備えた金属製ファスナーを用いるものがある（例えば特許文献１参照、以下、従来技術１という）。上記のファスナーは、上記のフックをコンクリート壁内の鉄筋に係止させ、上記のプレートを上記の断熱材層に沿わせることで、このファスナーを介して断熱材層を上記の鉄筋に所定の間隔を設けて固定してある。そして、上記の断熱材層の両側に生コンクリートを打設してこれを固化させることで、断熱コンクリート壁構造が形成される。
【０００３】
また、他の断熱コンクリート壁構造として、第１コンクリート層が固化する前に、断熱材層の一方の面をこのコンクリート層に沿わせて配置し、熱伝導抵抗が大きい材料で形成したファスナーをこの断熱材層に刺通して、このファスナーの先端を上記の第１コンクリート層内に突入させ、上記の断熱材層の他方の面に第２コンクリート層を、上記のファスナーの他端が包み込まれる状態に形成するものがある（例えば特許文献２参照、以下、従来技術２という）。このファスナーのコンクリート層内に位置している部分には、太さの細い狭幅部が形成され、この狭幅部とこれよりも端部側に形成された広幅部との間に、断熱材層に向いた保持面が形成され、この保持面によりコンクリート層が断熱材層に固定される。
【０００４】
【特許文献１】
特開２００２−３２２７５２号公報
【特許文献２】
特開平８−４９３１８号公報
【０００５】
【発明が解決しようとする課題】
上記の従来技術１にあっては、ファスナーにより断熱材層をコンクリート層に確りと固定できるものの、このファスナーが金属製であるうえ、端部のフックがコンクリート層内の鉄筋に係止又は緊結されるため、このファスナーを介して両コンクリート層間で熱が伝わり易く、壁構造の断熱性能が低下する問題がある。
【０００６】
一方、上記の従来技術２にあっては、熱伝導抵抗の大きな材料でファスナーを形成するため、個々のファスナーを介して両コンクリート間を伝わる熱量は少なく抑えることができる。しかしながら、このファスナーには上記の狭幅部が形成されるためファスナーの強度がこの狭幅部に制限される。ファスナー全体を太くすることも考えられるが、断熱材層を刺通又は貫通するためにはファスナーを過剰に太くすることができない。一方、上記の保持面は上記の狭幅部とファスナーの太い部分との段差で構成されるが、刺通操作又は貫通操作の観点からファスナーを過剰に太くできず、強度の観点から狭幅部を過剰に細くできないことから、この段差部を大きくしてコンクリート層と断熱材層との結合力を高めることが容易でない。この結果、コンクリート層を断熱材層に確り固定するためには多数のファスナーが必要となり、高価につくうえ刺通操作又は貫通操作が煩雑であるだけでなく、このファスナーを介してコンクリート層間を伝わる熱量が多くなり、壁構造の断熱性能が全体として低下する問題がある。
【０００７】
本発明は上記の問題点を解消し、２つのコンクリート層間に断熱材層を形成した断熱コンクリート壁構造において、断熱性能を良好に保ちながら又は断熱性能の低下を抑制しながらしかも両コンクリート層同士を強固に連結できる、断熱コンクリート壁構造とその施工方法を提供することを技術的課題とする。
【０００８】
【課題を解決するための手段】
本発明は上記の課題を解決するために、例えば、本発明の実施の形態を示す図１から図４に基づいて説明すると、次のように構成したものである。
即ち、本発明１は断熱コンクリート壁構造に関し、第１コンクリート層（２）と第２コンクリート層（３）との間に断熱材層（４）を形成し、上記の第１コンクリート層（２）内と第２コンクリート層（３）内とに亘って、上記の断熱材層（４）を貫通するファスナー（９）を配設し、このファスナー（９）を介して上記の両コンクリート層（２・３）を互いに連結した断熱コンクリート壁構造であって、上記のファスナー（９）を、連続繊維（１０）に合成樹脂を含浸させてロッド状に形成し、このロッド状ファスナー（９）の外面に多数の凹凸（１１）を形成したことを特徴とする。
【０００９】
また本発明２は断熱コンクリート壁構造の施工方法に関し、あらかじめ複数の貫通孔（８）を形成した板状の断熱材（７）を一対の壁型枠（１２・１２）間に配置し、連続繊維（１０）に合成樹脂を含浸させてロッド状に形成したファスナー（９）を上記の貫通孔（８）に挿通して、このファスナー（９）の両端をそれぞれ上記の断熱材（７）の表面から突出させ、上記のファスナー（９）には外面に多数の凹凸（１１）を形成しておき、上記の１対の壁型枠（１２・１２）間に生コンクリートを打設して上記のファスナー（９）の両端をそれぞれこの生コンクリートで包み込み、この生コンクリートが固化した後に上記の壁型枠（１２）を除去することを特徴とする。
【００１０】
【作用】
上記のファスナーは、連続繊維に合成樹脂を含浸させてほぼ一定太さのロッド状に形成されるので、ファスナー全体が高い強度を備えている。そしてこのファスナーの外面に形成された上記の凹凸が、周囲のコンクリート内に埋入されてこのコンクリート層に物理的に固定される。
この結果、このファスナーを介して上記の第１コンクリート層と第２コンクリート層とが確りと連結され、固定される。このとき、上記の凹凸はファスナーの外面全体に形成できるので、このファスナーのコンクリート層内に突入する部分を太くしたり長くすることにより、上記の凹凸が多く形成され、コンクリート層への固定強度が高くなることもある。なお、上記の断熱材層は上記の２つのコンクリート層に挟まれて固定されるので、上記のファスナーはこの断熱材層に必ずしも支持されたり固定されたりする必要はない。
【００１１】
なお、本発明にいう連続繊維は、細い連続した繊維の総称であり、短繊維と対をなす概念である。この連続繊維はファスナーとしての機能を十分に発揮できる太さと強度があればよく、例えば約１〜３０μｍ程度、好ましくは約３〜２０μｍ程度のものが用いられる。またこの連続繊維としては、例えばガラス繊維や炭素繊維などの無機繊維を用いることができるが、有機繊維を用いた場合には、この有機連続繊維を組紐などに編組したり、螺旋状に捲回することにより上記の凹凸を形成できるので、より好ましい。なお、上記の組紐としては、例えば製紐機を用いて丸打ち、角打ち、平打ちなど所望の形状にすることができる。
ここで上記の有機繊維としては、例えば、全芳香族ポリアミド繊維（アラミド繊維、特にパラ系アラミド繊維）、全芳香族ポリエステル繊維、ヘテロ環芳香族繊維（例えばポリフェニレンベンゾビスオキサゾール繊維等）、ビニロンなどを挙げることができる。
【００１２】
ファスナーの形状としては、組紐などに編組したり、螺旋状に捲回することが上記の凹凸を形成できるので、より好ましい。なお、上記の組紐としては、例えば製紐機を用いて丸打ち、角打ち、平打ちなど所望の形状にすることができる。
また、上記の凹凸は、例えば上記のロッド状ファスナーの表面に粒状物を固定することで形成してもよい。この場合に用いる粒状物としては、具体的には例えば砂やシリカなどを挙げることができる。この粒状物の粒径は、本発明の目的を損なわない限りどのような大きさであってもよいが、例えば、約０．１〜５ｍｍ程度が好ましい。
【００１３】
上記の合成樹脂としては、例えば、エポキシ樹脂、不飽和ポリエステル樹脂、ビニルエステル樹脂、メチルメタクリレート樹脂、フェノール樹脂、ポリエステルアミド樹脂、ポリイミド樹脂などの熱硬化性樹脂を挙げることができるが、本発明で用いる合成樹脂は上記の連続繊維に含浸してこの繊維をロッド状に固化できるものであればよく、特定の種類に限定されない。又、合成樹脂は熱硬化性樹脂が好ましい。
【００１４】
上記のファスナーはロッド状に形成されるが、コンクリート層との結合力を高めるため、少なくとも一方のコンクリート層内で、このファスナーに、軸心と交差する方向へ延びる固定部を形成してもよい。この固定部としては、例えばロッド状のファスナー自体を折り曲げて形成してもよく、あるいは上記の連続繊維を広げて幅広部を形成してもよく、さらにはプレート状や棒状などの別の部材をこのロッド状ファスナーに固定してもよい。
【００１５】
なお、上記の断熱材層は、断熱性能が高く、上記のファスナーを挿通できる貫通孔を形成できるものであればよく、例えば発泡ポリスチレン板やフェノールフォーム板などの合成樹脂製断熱材や、あるいはセメントとシラスバルーンと発泡有機樹脂粉粒体とからなる断熱材など、任意の材質で形成することができる。
【００１６】
【発明の実施の形態】
以下、本発明の実施の形態を図面に基づき説明する。
図１及び図２は本発明の実施形態を示し、図１は断熱コンクリート壁構造の説明図であり、図１（ａ）は断熱コンクリート壁構造の要部の断面図、図１（ｂ）は図１（ａ）のＢ部の拡大図、図２は断熱コンクリート壁構造の施工を説明する要部の断面図である。
【００１７】
図１（ａ）に示すように、この断熱コンクリート壁構造（１）は、建物の躯体壁又は躯体層を構成する第１コンクリート層（２）と、これに平行に配置された室外側の第２コンクリート層（３）と、両コンクリート層（２・３）間に配置された断熱材層（４）とを備える。第２コンクリート層（３）は保護層として機能してよい。上記の第１コンクリート層（２）は、厚さが例えば１５０〜１８０ｍｍ程度あり、内部に躯体壁用の鉄筋（５）が配置してある。これに対し上記の第２コンクリート層（３）は厚さが例えば５０ｍｍ程度で、内部にワイヤーメッシュ（６）が配置してある。
【００１８】
上記の断熱材層（４）は、例えば３０〜５０ｍｍの厚さに、シラスバルーンを主材とした断熱材（７）で形成してある。即ち、この断熱材（７）は、例えばセメント１００重量部と、シラスバルーン３０〜６０重量部と、発泡ウレタン２０〜３０重量部とからなり、表面にシラン系やウレタン系、フッ素樹脂系などの給水防止材を塗布してある。この断熱材（７）は、例えば１枚の大きさが幅６００ｍｍ、長さ１８００ｍｍの板状に成形され、複数箇所（例えば６〜１０箇所）に貫通孔（８）が形成されていてもよい。
なお、この実施形態では断熱材層（４）としてシラスバルーンを主材とする板状の断熱材（７）を用いたが、本発明では他の断熱材を用いてもよい。
【００１９】
図１（ａ）及び図１（ｂ）に示すように、上記の貫通孔（８）にはファスナー（９）が挿通又は挿入してあり、このファスナー（９）の両端はそれぞれ上記の第１コンクリート層（２）内と第２コンクリート層（３）内とに位置させてある。
このファスナー（９）は、例えばパラ系アラミド繊維（東レ・デュポン株式会社製、商品名「ケブラー４９」）などの連続繊維（１０）にポリイミド樹脂を含浸させてロッド状に形成してあり、表面に多数の凹凸（１１）を形成してある。
即ち、上記のパラ系アラミド繊維（１０）を製紐機等で丸打ちして直径約７ｍｍの組紐に形成し、この組紐にエポキシ樹脂又はポリイミド樹脂の前駆体であるポリアミック酸を含浸させ、余分な樹脂を絞りとったのち、これを加熱硬化処理してロッド状に形成してあり、このロッド状ファスナー（９）の表面には上記の組紐形状による多数の凹凸（１１）が形成されている。
【００２０】
上記のファスナー（９）の両端部外面に形成された上記の凹凸（１１）は、それぞれコンクリート層（２・３）内に埋め込まれているため、このコンクリートに物理的に確りと固定されており、これによりこのファスナー（９）を介して上記の第１コンクリート層（２）と第２コンクリート層（３）とが強固に連結されている。
【００２１】
なお、この実施形態では上記のファスナー（９）にアラミド繊維とポリイミド樹脂を用いたが、本発明では連続繊維として他の有機繊維や無機繊維を単独で、あるいは組み合わせて用いてもよく、合成樹脂も他の種類のものを用いてもよい。
またこの実施形態では、上記のファスナー（９）が直径約７ｍｍの円柱状に形成されるが、本発明に用いるファスナー（９）はこの太さに限定されず、断面形状も矩形や他の多角形、楕円形、長円形など、任意の形状に形成することができる。
【００２２】
また上記の凹凸（１１）は、例えば連続繊維を螺旋状に捲回させることで形成してもよい。このように組紐状や螺旋状に加工する場合、無機繊維を芯材に用いてその周囲に有機繊維を編組などすることも可能である。
また上記の凹凸（１１）は、上記の樹脂が硬化する前に、上記のファスナー（９）の表面に砂などの粒状物を付着させて、この粒状物と上記の組紐形状とで上記の凹凸（１１）を形成してもよい。このように粒状物を付着させる場合は組紐形状にしなくともファスナー（９）の表面に凹凸（１１）を形成できる。そのため、連続繊維は長さ方向を揃えて束ねるだけでもよく、剛性の高い無機繊維を用いることも可能である。
【００２３】
次に、上記の断熱コンクリート壁構造を形成する施工方法を説明する。
図２に示すように、駆体用の鉄筋（５）とワイヤーメッシュ（６）との間に板状の断熱材（７）を配置して、これらの外側に一対の壁型枠（１２・１２）を配置し、この壁型枠（１２・１２）をセパレータ（固定具）（１３）で相互に固定する。なお、上記の鉄筋（５）と断熱材（７）とワイヤーメッシュ（６）とは、相対的な位置が移動しないように任意の固定手段で互いに固定してもよい。
【００２４】
上記の断熱材（７）にはあらかじめ複数の貫通孔（８）を形成してあり、この貫通孔（８）に前記のロッド状ファスナー（９）を、その両端がそれぞれ断熱材（７）の表面から突出する状態に挿通しておく。このとき、このファスナー（９）の端部を上記の鉄筋（５）やワイヤーメッシュ（６）に針金などで固定しておいてもよい。
【００２５】
次に、上記の壁型枠（１２）と断熱材（７）との間に生コンクリートを打設して、上記の鉄筋（５）やワイヤーメッシュ（６）とともに、上記のファスナー（９）の両端をそれぞれこの生コンクリートで包み込む。そしてこの生コンクリートが固化したのち、上記の壁型枠（１２）を除去して断熱コンクリート壁構造（１）を完成する。
【００２６】
さらに好ましい実施の態様は、下記のとおりである。
上記の断熱コンクリート壁構造を形成する施工方法を図２に従い説明する。
鉄筋（５）を配筋する。
室内側の型枠（１２）を建て込む。
断熱材を配置（７）し、貫通孔（８）をあける。
セパレーター（１３）、ファスナー（９）を屋外側から取り付ける。
ワイヤーメッシュ（６）をセパレーター（１３）及びファスナー（９）に固定する。
屋外側の型枠（１２）を建て込む。
型枠（１２），（１２）とセパレーター（１３）を固定する。
コンクリートを打設する。
コンクリート硬化後、型枠（１２），（１２）を撤去する。
【００２７】
上記のロッド状のファスナー（９）は、その外面に形成される凹凸（１１）がコンクリートに包み込まれることで第１及び第２コンクリート層（２・３）に固定される。このため上記の第２コンクリート層（３）のようにコンクリート層が薄い場合は、このファスナー（９）とコンクリート層との結合力を高めることが容易でない。
そこで、例えば図３に示す第１変形例や図４に示す第２変形例のように、このファスナー（９）の端部に、このファスナー（９）の軸心（１４）と交差する方向へ延びる折り曲げ固定部（１５）を形成してもよい。
【００２８】
上記のロッド状のファスナー（９）は、その外面に形成される凹凸（１１）がコンクリートに包み込まれることでコンクリート層（２・３）に固定される。このため、上記の第２コンクリート層（３）のようにコンクリート層が薄い場合は、このファスナー（９）とコンクリート層との結合力を高めることが容易でない。
そこで、例えば図３に示す第１変形例や図４に示す第２変形例のように、このファスナー（９）の端部に、このファスナー（９）の軸心（１４）と交差する方向へ延びる固定部（１５）を形成してもよい。
【００２９】
即ち、図３に示す第１変形例では、ロッド状ファスナー（９）の一端を折り曲げ、この折曲部で上記の固定部（１５）を形成したものである。
また、図４に示す第２変形例では、ファスナー（９）の端部に固定したプレート状の部材で上記の固定部（１５）を形成したものである。
これらの固定部（１５）は、いずれも断熱材層（４）から離隔した位置でコンクリート層（３）内に埋入してあり、これによりファスナー（９）とコンクリート層（３）との結合力を高めてある。なお、本発明に用いる上記の固定部（１５）はファスナー（９）の両端に形成してもよく、形状や構造も上記の変形例のものに限定されないことはいうまでもない。
【００３０】
【効果】
ロッド状のファスナーは連続繊維と合成樹脂で形成されるので熱伝導抵抗が大きい。しかもこのファスナーは一定の太さを備えるため、前記の従来技術２と異なって強度が高く、また、外面に形成した多数の凹凸によりコンクリート層に確りと固定されるので、コンクリート層同士の連結に必要なファスナーが少なく済む。この結果、断熱性能の低下を抑制しながら又は断熱性能を良好に保ちながら、しかも第１コンクリート層と第２コンクリート層とを確りと連結することができる。
【図面の簡単な説明】
【図１】本発明の実施形態を示す断熱コンクリート壁構造の説明図であり、図１（ａ）は断熱コンクリート壁構造の要部の断面図、図１（ｂ）は図１（ａ）のＢ部の拡大図である。
【図２】本発明の実施形態を示し、断熱コンクリート壁構造の施工を説明する要部の断面図である。
【図３】本発明の第１変形例を示す、図１（ａ）相当図である。
【図４】本発明の第２変形例を示す、図１（ａ）相当図である。
【符号の説明】
１…断熱コンクリート壁構造
２…第１コンクリート層
３…第２コンクリート層
４…断熱材層
７…断熱材
８…貫通孔
９…ファスナー
１０…連続繊維（パラ系アラミド繊維）
１１…凹凸
１２…壁型枠
１４…ファスナー（９）の軸心
１５…折り曲げ固定部
【図１】
2004324234.tif 000003
【図２】
2004324234.tif 000004
【図３】
2004324234.tif 000005
【図４】
2004324234.tif 000006